(57)【特許請求の範囲】
【請求項１】
遊技機に用いられる画像表示装置であって、
投影方向に対して傾斜した領域の反射率が前記投影方向に直交する領域の反射率よりも低く、光源から投影された画像を反射する後側スクリーンと、
前記後側スクリーンと前記光源との間に設けられ、反射状態では前記後側スクリーンと異なる反射率を有し、前記画像の投影方向に対する角度が前記後側スクリーンの前記傾斜した領域と異なる領域を有する前側スクリーンであって、前記光源から投影された画像を反射する反射状態と、前記光源から投影された画像を前記後側スクリーンに透過する透過状態とに切り替えられる前側スクリーンと、
前記前側スクリーンを前記反射状態または前記透過状態に制御する制御部と、
を備える、
画像表示装置。
【請求項２】
前記制御部は、
前記画像の不連続部分の投影に先立って前記切り替えを行う、
請求項１に記載の画像表示装置。
【請求項３】
請求項１または請求項２に記載の画像表示装置と、
画像を示す投射光を前側スクリーンに投射する投影部と、
を備える遊技機。
【請求項４】
投影方向に対して傾斜した領域の反射率が前記投影方向に直交する領域の反射率よりも低く、光源から投影された画像を反射する後側スクリーンと、前記後側スクリーンと前記光源との間に設けられ、反射状態では前記後側スクリーンと異なる反射率を有し、前記画像の投影方向に対する角度が前記後側スクリーンの前記傾斜した領域と異なる領域を有する前側スクリーンであって、前記光源から投影された画像を反射する反射状態と、前記光源から投影された画像を前記後側スクリーンに透過する透過状態とに切り替えられる前側スクリーンと、を備え、遊技機に用いられる画像表示装置による制御方法であって、
画像表示装置が、プロジェクタから出力された前記反射状態と前記透過状態との切り替えを制御するプロジェクタから出力されたスクリーン制御信号がＯＮ信号であるかＯＦＦ信号であるかを判定することと、
画像表示装置が、判定結果に基づいて、前記前側スクリーンを前記反射状態または前記透過状態に制御することと、
を含む画像表示装置による制御方法。
【請求項５】
投影方向に対して傾斜した領域の反射率が前記投影方向に直交する領域の反射率よりも低く、光源から投影された画像を反射する後側スクリーンと、前記後側スクリーンと前記光源との間に設けられ、反射状態では前記後側スクリーンと異なる反射率を有し、前記画像の投影方向に対する角度が前記後側スクリーンの前記傾斜した領域と異なる領域を有する前側スクリーンであって、前記光源から投影された画像を反射する反射状態と、前記光源から投影された画像を前記後側スクリーンに透過する透過状態とに切り替えられる前側スクリーンと、を備え、遊技機に用いられる画像表示装置のコンピュータに、
プロジェクタから出力された前記反射状態と前記透過状態との切り替えを制御するスクリーン制御信号がＯＮ信号であるかＯＦＦ信号であるかを判定することと、
判定結果に基づいて、前記前側スクリーンを前記反射状態または前記透過状態に制御することと、
を実行させるプログラム。
【発明の詳細な説明】
【技術分野】
【０００１】
本発明は、画像表示装置、遊技機、画像表示方法及びプログラムに関する。
【背景技術】
【０００２】
ぱちんこや回胴式遊技機における抽選などの演出は、液晶パネルを用いて行われる場合がある。そのような演出において、液晶パネルに表示される画像は、大当たりの期待度と関連付けられている場合が多いため、鮮明に表示される必要がある。
特許文献１〜４には、関連する技術として、画像を鮮明に表示させる技術が開示されている。
【先行技術文献】
【特許文献】
【０００３】
【特許文献１】特開２００５−１１４９１３号公報
【特許文献２】特開２００３−１２１９４３号公報
【特許文献３】特開２００２−３６５７３０号公報
【特許文献４】特開２００１−２９６６０９号公報
【発明の概要】
【発明が解決しようとする課題】
【０００４】
ところで、液晶パネルが表示する画像は、一般的に鮮明である。しかしながら、液晶パネルは、比較的高価なデバイスである。
そのため、ぱちんこや回胴式遊技機において、簡易的な構成で画像を鮮明に表示し、液晶パネルと同様の演出効果を得ることのできる技術が求められていた。
【０００５】
本発明は、上記の課題を解決することのできる画像表示装置、遊技機、画像表示方法及びプログラムを提供することを目的としている。
【課題を解決するための手段】
【０００６】
上記目的を達成するために、本発明は、遊技機に用いられる画像表示装置であって、投影方向に対して傾斜した領域の反射率が前記投影方向に直交する領域の反射率よりも低く、光源から投影された画像を反射する後側スクリーンと、前記後側スクリーンと前記光源との間に設けられ、反射状態では前記後側スクリーンと異なる反射率を有し、前記画像の投影方向に対する角度が前記後側スクリーンの前記傾斜した領域と異なる領域を有する前側スクリーンであって、前記光源から投影された画像を反射する反射状態と、前記光源から投影された画像を前記後側スクリーンに透過する透過状態とに切り替えられる前側スクリーンと、前記前側スクリーンを前記反射状態または前記透過状態に制御する制御部と、を備える、画像表示装置である。
【０００８】
また、本発明は、上述の画像表示装置と、画像を示す投射光を前側スクリーンに投射する投影部と、を備える遊技機である。
【０００９】
また、本発明は、投影方向に対して傾斜した領域の反射率が前記投影方向に直交する領域の反射率よりも低く、光源から投影された画像を反射する後側スクリーンと、前記後側スクリーンと前記光源との間に設けられ、反射状態では前記後側スクリーンと異なる反射率を有し、前記画像の投影方向に対する角度が前記後側スクリーンの前記傾斜した領域と異なる領域を有する前側スクリーンであって、前記光源から投影された画像を反射する反射状態と、前記光源から投影された画像を前記後側スクリーンに透過する透過状態とに切り替えられる前側スクリーンと、を備え、遊技機に用いられる画像表示装置による制御方法であって、画像表示装置が、プロジェクタから出力された前記反射状態と前記透過状態との切り替えを制御するスクリーン制御信号がＯＮ信号であるかＯＦＦ信号であるかを判定することと、画像表示装置が、判定結果に基づいて、前記前側スクリーンを前記反射状態または前記透過状態に制御することと、を含む画像表示装置による制御方法である。
【００１０】
また、本発明は、投影方向に対して傾斜した領域の反射率が前記投影方向に直交する領域の反射率よりも低く、光源から投影された画像を反射する後側スクリーンと、前記後側スクリーンと前記光源との間に設けられ、反射状態では前記後側スクリーンと異なる反射率を有し、前記画像の投影方向に対する角度が前記後側スクリーンの前記傾斜した領域と異なる領域を有する前側スクリーンであって、前記光源から投影された画像を反射する反射状態と、前記光源から投影された画像を前記後側スクリーンに透過する透過状態とに切り替えられる前側スクリーンと、を備え、遊技機に用いられる画像表示装置のコンピュータに、プロジェクタから出力された前記反射状態と前記透過状態との切り替えを制御するスクリーン制御信号がＯＮ信号であるかＯＦＦ信号であるかを判定することと、判定結果に基づいて、前記前側スクリーンを前記反射状態または前記透過状態に制御することと、を実行させるプログラムである。
【発明の効果】
【００１１】
本発明によれば、ぱちんこや回胴式遊技機において、簡易的な構成で画像を鮮明に表示し、液晶パネルと同様の演出効果を得ることができる。
【図面の簡単な説明】
【００１２】
【図１】本発明の第一の実施形態による画像表示装置の最小構成を示す図である。
【図２】本発明の第二の実施形態による画像表示システムの構成を示す図である。
【図３】本発明の第二の実施形態における前側スクリーンと後側スクリーンとの位置関係を説明するための図である。
【図４】本発明の第二の実施形態による画像表示システムの処理フローを示す図である。
【図５】本発明の第二の実施形態におけるスクリーン制御信号を説明するための図である。
【図６】本発明の第三の実施形態によるスクリーンの構成を示す図である。
【図７】本発明の第三の実施形態におけるスクリーンの表示例を示す図である。
【発明を実施するための形態】
【００１３】
＜第一の実施形態＞
本発明の第一の実施形態による画像表示装置について説明する。
本発明の第一の実施形態による画像表示装置は、本発明の最小構成の画像表示装置である。
本発明の第一の実施形態による画像表示装置１０は、ぱちんこや回胴式遊技機などの遊技機に用いられる画像表示装置であって、図１に示すように、少なくとも、後側スクリーン１０１と、前側スクリーン１０２と、制御部１０３と、を備える。
【００１４】
後側スクリーン１０１は、光源から投影された画像を反射する。後側スクリーン１０１の反射率は、後述する前側スクリーン１０２の反射率と異なる。
前側スクリーン１０２は、後側スクリーン１０１と光源との間に設けられる。前側スクリーン１０２は、光源から投影された画像を反射する反射状態と光源から投影された画像を後側スクリーン１０１に透過する透過状態とに切り替えられる。前側スクリーン１０２は、例えば、「ウムフィルム」（登録商標）である。
制御部１０３は、前側スクリーン１０２の反射状態と透過状態との切り替えを制御する。
なお、後側スクリーン１０１と前側スクリーン１０２は、接触していてもよい。例えば、前側スクリーン１０２は、変形可能なシール状のシートであり、前側スクリーン１０２は、後側スクリーン１０１の表面に貼り付けられてもよい。
【００１５】
このようにすれば、画像表示装置１０は、ぱちんこや回胴式遊技機において、異なる反射率を制御することで、簡易的な構成で画像を鮮明に表示し、液晶パネルと同様の演出効果を得ることができる。
【００１６】
＜第二の実施形態＞
本発明の第二の実施形態による画像表示システムについて説明する。
本発明の第二の実施形態による画像表示システム１は、図２に示すように、画像表示装置１０と、プロジェクタ２０と、を備える。
【００１７】
画像表示装置１０は、後側スクリーン１０１と、前側スクリーン１０２と、制御部１０３と、を備える。
【００１８】
後側スクリーン１０１は、光源から投影された画像を反射する。後側スクリーン１０１の反射率は、前側スクリーン１０２の反射率と異なる。例えば、後側スクリーン１０１の反射率は、前側スクリーン１０２の反射率よりも低い。なお、本発明の第二の実施形態及び後述する本発明の第三の実施形態では、後側スクリーン１０１の反射率が前側スクリーン１０２の反射率よりも低いものとして、画像表示システム１について説明する。
前側スクリーン１０２は、後側スクリーン１０１と光源との間に設けられる。前側スクリーン１０２は、光源から投影された画像を反射する反射状態と光源から投影された画像を後側スクリーン１０１に透過する透過状態とに切り替えられる。
なお、後側スクリーン１０１は、前側スクリーン１０２と直交する方向から見て、前側スクリーン１０２と重なる位置に配置されている。また、後側スクリーン１０１は、例えば、図３に示すように、前側スクリーン１０２と後側スクリーン１０１とを同時に見るユーザに対して、前側スクリーン１０２と重なって見える位置に設けられる。
制御部１０３は、画像の不連続部分の投影に先立って前側スクリーン１０２の反射状態と透過状態との切り替えを行う。画像の不連続部分とは、例えば、所定の時間内で連続する複数の画像データと、前記所定の時間とは異なる時間内で連続する複数の画像データとの境界をいう。また、画像の不連続部分とは、例えば、輝度、色彩が極端に変化する画像と画像との境界をいう。
【００１９】
プロジェクタ２０は、投影部２０１を備える。
投影部２０１は、画像を示す投射光を前側スクリーン１０２に投射する。
前側スクリーン１０２は、制御部１０３が前側スクリーン１０２を反射状態にする制御を行った場合、画像を映す。
また、前側スクリーン１０２は、制御部１０３が前側スクリーン１０２を透過状態にする制御を行った場合、投射光を透過する。後側スクリーン１０１は、前側スクリーン１０２を透過した投射光を反射して、画像を映す。
【００２０】
図４に示す本発明の第二の実施形態による画像表示システム１の処理フローについて説明する。
ここでは、ユーザが回胴式遊技機を打ち、リーチが掛かった場合に画像表示システム１の備える画像表示装置１０が行う演出の処理について説明する。
なお、前側スクリーン１０２は、図３で示したように、前側スクリーン１０２と後側スクリーン１０１とを同時に見るユーザに対して、後側スクリーン１０１と重なって見える位置に設けられているとする。また、演出中に後側スクリーン１０１、前側スクリーン１０２のそれぞれに映し出される画像の画像信号には、画像のデータと共に、その画像の輝度に応じて決定した前側スクリーン１０２の反射状態と透過状態との切り替えを制御するスクリーン制御信号が埋め込まれている。具体的には、図５に示すように、演出中の画像信号が示す画像の輝度が高い場合には画像のデータに前側スクリーン１０２を反射状態（図５では「高反射」）とするスクリーン制御信号（図５では「ＯＦＦ」信号）を埋め込む。また、演出中の画像の輝度が低い場合には画像のデータに前側スクリーン１０２を透過状態（図５では「低反射」）とするスクリーン制御信号（図５では「ＯＮ」信号）を埋め込む。
なお、スクリーン制御信号は、画像単位で画像信号に埋め込まれてもよい。また、スクリーン制御信号は、シーン単位（画像の不連続部分の単位）で画像信号に埋め込まれてもよい。
【００２１】
ユーザが回胴式遊技機にコインを入れてスタートレバーを叩く。回胴式遊技機は、スタートレバーを叩いた瞬間に、ビッグボーナス、小役、高確率モードなどの抽選を行う。回胴式遊技機の３つのドラムが回転する。ユーザが各ドラムの回転を止めるために各ドラムに対応したストップボタンを押下する。
ユーザがストップボタンを押下する毎に、演出が継続し２つのドラムの回転が止まった時点でビッグボーナスの期待度の高い演出が発生したとする。
【００２２】
投影部２０１は、スクリーン制御信号が埋め込まれた画像信号を制御部１０３に送信する（ステップＳ１）。
【００２３】
制御部１０３は、投影部２０１からスクリーン制御信号が埋め込まれた画像信号を受信する。制御部１０３は、スクリーン制御信号が埋め込まれた画像信号を受信すると、スクリーン制御信号が埋め込まれた画像信号に基づいて、前側スクリーン１０２の反射状態と透過状態との切り替えを制御する（ステップＳ２）。
具体的には、制御部１０３は、図５で示したスクリーン制御信号の場合、スクリーン制御信号が「ＯＦＦ」信号であるときに前側スクリーン１０２を反射状態にする制御を行う。また、制御部１０３は、スクリーン制御信号が「ＯＮ」信号であるときに前側スクリーン１０２を透過状態にする制御を行う。
【００２４】
制御部１０３が前側スクリーン１０２を反射状態にする制御を行った場合、前側スクリーン１０２が投影部２０１からの投射光を反射する。このときのスクリーンの見え方は、投射光が前側スクリーン１０２で反射し、全体が明るく、黒は高コントラストにより黒く見える。
また、制御部１０３が前側スクリーン１０２を透過状態にする制御を行った場合、後側スクリーン１０１が投影部２０１からの投射光を反射する。このときのスクリーンの見え方は、投射光が前側スクリーン１０２の反射率よりも低い反射率を有する後側スクリーン１０１で反射するため、全体が暗くなり、黒浮きを抑えることができる。なお、黒浮きとは、画像の黒の基準となる黒レベルが白レベル側に変動し、本来の黒色が灰色に近くなることである。
【００２５】
以上、本発明の第二の実施形態による画像表示システム１について説明した。
本発明の第二の実施形態による画像表示システム１は、画像表示装置１０と、プロジェクタ２０と、を備える。画像表示装置１０は、後側スクリーン１０１と、前側スクリーン１０２と、制御部１０３と、を備える。後側スクリーン１０１は、光源から投影された画像を反射する。後側スクリーン１０１の反射率は、前側スクリーン１０２の反射率と異なる。前側スクリーン１０２は、後側スクリーン１０１と光源との間に設けられる。前側スクリーン１０２は、光源から投影された画像を反射する反射状態と光源から投影された画像を後側スクリーン１０１に透過する透過状態とに切り替えられる。制御部１０３は、画像の不連続部分の投影に先立って前側スクリーン１０２の反射状態と透過状態との切り替えを行う。プロジェクタ２０は、投影部２０１を備える。投影部２０１は、画像を示す投射光を前側スクリーン１０２に投射する。前側スクリーン１０２は、制御部１０３が前側スクリーン１０２を反射状態にする制御を行った場合、画像を映す。また、前側スクリーン１０２は、制御部１０３が前側スクリーン１０２を透過状態にする制御を行った場合、投射光を透過する。後側スクリーン１０１は、前側スクリーン１０２を透過した投射光を反射して、画像を映す。
このようにすれば、画像表示装置１０は、ぱちんこや回胴式遊技機において、簡易的な構成で画像を鮮明に表示し、液晶パネルと同様の演出効果を得ることができる。
【００２６】
なお、本発明の第二の実施形態による画像表示システム１について、後側スクリーン１０１の反射率が前側スクリーン１０２の反射率よりも低い場合を例に説明したが、後側スクリーン１０１の反射率は、前側スクリーン１０２の反射率よりも高くてもよい。その場合、後側スクリーン１０１の反射率が前側スクリーン１０２の反射率よりも低いときのスクリーン制御信号の「ＯＮ」と「ＯＦＦ」を入れ換えて、制御部１０３がスクリーン制御信号に基づいて前側スクリーン１０２を制御すればよい。
【００２７】
＜第三の実施形態＞
本発明の第三の実施形態による画像表示システムについて説明する。
本発明の第三の実施形態による画像表示システム１は、画像表示装置１０と、プロジェクタ２０と、を備える。
画像表示装置１０は、後側スクリーン１０１と、前側スクリーン１０２と、制御部１０３と、を備える。
前側スクリーン１０２と後側スクリーン１０１のそれぞれには、画像の投影方向に対する角度が異なる領域がある。
画像表示装置１０は、図６に示すように、凹凸のある後側スクリーン１０１の表面に変形可能なシール状のシートである前側スクリーン１０２が貼り付けられた構成となっている。
図６で示した凹凸のある後側スクリーン１０１の場合、投影方向に対して傾斜した領域である領域Ｂ１、Ｃ１、Ｄ１、Ｅ１、Ｆ１（図６における水平面）は、投射光を反射する。その結果、反射した投射光は、更に投影方向に直交する領域Ａ１〜Ａ５、Ｂ２、Ｂ３、Ｂ５、Ｂ６など（図６における垂直面）に投影され、投影方向に直交する領域のスクリーンに本来映って欲しくない他領域の画像を映してしまう。
そこで、投影方向に対して傾斜した領域の後側スクリーン１０１の反射率は、投影方向に直交する領域の後側スクリーン１０１の反射率よりも予め低くしておく。
【００２８】
制御部１０３は、投影方向に対して傾斜した領域である領域Ｂ１、Ｃ１、Ｄ１、Ｅ１、Ｆ１の前側スクリーン１０２を透過状態にする制御を行う。また、制御部１０３は、投影方向に対して傾斜した領域以外の前側スクリーン１０２の反射状態と透過状態とを切り替える。
制御部１０３が投影方向に対して傾斜した領域である領域の前側スクリーン１０２を透過状態にする制御を行った場合、投影部２０１から投射された投射光は、前側スクリーン１０２の反射率よりも低い反射率を有する後側スクリーン１０１で反射する。このときのスクリーンの見え方は、投影方向に対して傾斜した領域である領域の後側スクリーン１０１により投射光の反射が抑制される。そのため、図７に示すように、投影方向に直交する領域Ａ１〜Ａ５、Ｂ２、Ｂ３、Ｂ５、Ｂ６などのスクリーンへの本来映って欲しくない投影方向に対して傾斜した領域の画像の二次的な投影が抑制される。
【００２９】
以上、本発明の第三の実施形態による画像表示システム１について説明した。
本発明の第三の実施形態による画像表示システム１は、画像表示装置１０と、プロジェクタ２０と、を備える。画像表示装置１０は、後側スクリーン１０１と、前側スクリーン１０２と、制御部１０３と、を備える。後側スクリーン１０１は、光源から投影された画像を反射する。後側スクリーン１０１の反射率は、前側スクリーン１０２の反射率よりも低くしている。前側スクリーン１０２は、後側スクリーン１０１と光源との間に設けられる。前側スクリーン１０２は、光源から投影された画像を反射する反射状態と光源から投影された画像を後側スクリーン１０１に透過する透過状態とに切り替えられる。制御部１０３は、投影方向に対して傾斜した領域の前側スクリーン１０２を透過状態にする制御を行う。プロジェクタ２０は、投影部２０１を備える。投影部２０１は、画像を示す投射光を前側スクリーン１０２に投射する。前側スクリーン１０２は、制御部１０３が前側スクリーン１０２を透過状態にする制御を行った場合、投射光を透過する。後側スクリーン１０１は、前側スクリーン１０２を透過した投射光を反射して、画像を映す。
このようにすれば、画像表示装置１０は、投影方向に対して傾斜した領域で投射光の反射を低減し、投影方向に直交する領域のスクリーンには本来映って欲しくない他領域の画像を映さない。画像表示装置１０は、ぱちんこや回胴式遊技機において、簡易的な構成で画像を鮮明に表示し、液晶パネルと同様の演出効果を得ることができる。
【００３０】
なお、本発明の第三の実施形態による画像表示システム１について、後側スクリーン１０１の反射率が前側スクリーン１０２の反射率よりも低い場合を例に説明したが、後側スクリーン１０１の反射率は、前側スクリーン１０２の反射率よりも高くてもよい。その場合、投影方向に対して傾斜した領域の前側スクリーン１０２の反射率を投影方向に直交する領域の前側スクリーン１０２の反射率よりも低くする。そして、制御部１０３は、投影方向に対して傾斜した領域で投射光の反射を低減するときには、前側スクリーン１０２のすべてを反射状態にすればよい。
【００３１】
なお、本発明の第三の実施形態による画像表示システム１において、制御部１０３は、本発明の第二の実施形態による制御部１０３と同様に、画像の不連続部分の投影に先立って前側スクリーン１０２の反射状態と透過状態との切り替えを行ってもよい。
【００３２】
なお、本発明の実施形態における処理フローは、適切な処理が行われる範囲において、処理の順番が入れ替わってもよい。
【００３３】
本発明の実施形態における記憶部のそれぞれは、適切な情報の送受信が行われる範囲においてどこに備えられていてもよい。また、記憶部のそれぞれは、適切な情報の送受信が行われる範囲において複数存在しデータを分散して記憶していてもよい。
【００３４】
本発明の実施形態について説明したが、上述の画像表示装置１０は内部に、コンピュータシステムを有していてもよい。そして、上述した処理の過程は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータがそのプログラムを実行するようにしてもよい。
【００３５】
また、上記プログラムは、前述した機能の一部を実現してもよい。さらに、上記プログラムは、前述した機能をコンピュータシステムにすでに記録されているプログラムとの組み合わせで実現できるファイル、いわゆる差分ファイル（差分プログラム）であってもよい。
【００３６】
本発明のいくつかの実施形態を説明したが、これらの実施形態は、例であり、発明の範囲を限定しない。これらの実施形態は、発明の要旨を逸脱しない範囲で、追加、種々の省略、置き換え、変更を行ってよい。
【符号の説明】
【００３７】
１０・・・画像表示装置
２０・・・プロジェクタ
１０１・・・後側スクリーン
１０２・・・前側スクリーン
１０３・・・制御部
２０１・・・投影部
【図１】
0006601874.tif 000002
【図２】
0006601874.tif 000003
【図３】
0006601874.tif 000004
【図４】
0006601874.tif 000005
【図５】
0006601874.tif 000006
【図６】
0006601874.tif 000007
【図７】
0006601874.tif 000008